(57)【要約】【課題】簡単な作業でスピーカのハーネスとの電気的接続とスピーカのパネルへの機械的な固定を行えるスピーカの取付け構造を提供する。【解決手段】パネルのスピーカ取付け開口部の近傍に設けた穴に固定される第１のコネクタと、スピーカの開口側から側方に延在し前記パネルに装着されるスピーカフレームと、前記スピーカのハーネスと接続されておりかつ前記第１のコネクタに対応する位置において前記スピーカフレームに設けられた第２のコネクタとを具備し、該第２のコネクタが前記パネル側の第１のコネクタと接続されることでコネクタ同士の接続とスピーカフレームのパネルへの固定が同時に行なわれるようになっている。【選択図】図１
2006237975.tif 000002
【特許請求の範囲】
【請求項１】
パネルのスピーカ取付け開口部の近傍に設けた穴に固定される第１のコネクタと、スピーカの開口側から側方に延在し前記パネルに装着されるスピーカフレームと、前記スピーカのハーネスと接続されておりかつ前記第１のコネクタに対応する位置において前記スピーカフレームに設けられた第２のコネクタとを具備し、該第２のコネクタが前記パネル側の第１のコネクタと接続されることでスピーカフレームの所定部位がパネルに固定されるように構成されていることを特徴とするスピーカの取付け構造。
【請求項２】
第２のコネクタがスピーカフレームと一体になっていることを特徴とする請求項１に記載のスピーカの取付け構造  。
【請求項３】
スピーカフレームはコネクタ以外の個所にパネルに対する取付け用部を一体に有していることを特徴とする請求項１または２に記載のスピーカの取付け構造。
【請求項４】
第１のコネクタがパネルの前面に当接するつば部とパネル背面に係止される固定用部とを有し、第２のコネクタが、パネル側の第１のコネクタに対する抜け止め部を有していることを特徴とする請求項１ないし３のいずれかに記載のスピーカの取付け構造。
【発明の詳細な説明】
【技術分野】
【０００１】
本発明は主として車両用のスピーカ取付け構造に関する。
【背景技術】
【０００２】
自動車においては、ステレオ音響効果を高めるためにドアやピラーなどにスピーカが装備される。かかるスピーカの装備にあたっては、機械的にパネルにスピーカユニットを固定することと、そのスピーカと車両側の信号回路とを電気的に接続することが不可欠である。
【０００３】
こうした搭載の仕方として、従来では、先行技術（特開平８−１３２９７７号公報）のように、スピーカのハウジングにコネクタを取付け、これに車両側からのハーネスに接続されたコネクタを接続する１方、これとは別に、スピーカの開口側に組み付けたブラケットをパネルにビス止めする構造が採用されていた。
また、ビスに代えて、図１のように、拡縮自在な脚を有するクリップをブラケットを貫通させてパネルの穴に突き入れ係止させる場合もある。
【０００４】
しかし、いずれにおいても、コネクタの接続とスピーカの固定が別々に行われるので、手間や工数が多くなる問題があった。また、コネクタを接続しなくてもスピーカを固定することが可能なため、コネクタの接続を忘れるミスが発生しやすく、結果として組み立てを分解して接続し直すトラブルが多くなる問題があった。
【特許文献１】特開平８−１３２９７７号公報
【発明の開示】
【発明が解決しようとする課題】
【０００５】
本発明は前記のような問題点を解消するためになされたもので、その目的とするところは、簡単な作業でスピーカのハーネスとの電気的接続とスピーカのパネルへの機械的な固定を行えるスピーカの取付け構造を提供することにある。
【課題を解決するための手段】
【０００６】
上記目的を達成するため本発明は、パネルのスピーカ取付け開口の近傍に設けた穴に固定される第１のコネクタと、スピーカの開口側から側方に延在し前記パネルに装着されるスピーカフレームと、前記スピーカのハーネスと接続されておりかつ前記第１のコネクタに対応する位置において前記フレームに設けられた第２のコネクタとを具備し、該第２のコネクタが前記パネル側の第１のコネクタと接続されることでフレームの所定部位がパネルに固定されるように構成されていることを特徴としている。
【発明の効果】
【０００７】
従来のスピーカ取付け構造のように、スピーカのパネルへの固定とコネクタ同士の接続が別々の工程でなく同時に行なわれるので、作業を迅速、単純化することができ、また、必ずコネクタ接続作業を伴うため、スピーカ取付け後のコネクタ未接続防止も起こらず、無駄な時間と工数を削減することができる。
【発明を実施するための最良の形態】
【０００８】
好適には、コネクタがスピーカフレームと一体になっている。
これによれば、スピーカ取付け用部品数を少なくすることができる。
【０００９】
スピーカフレームはコネクタ以外の個所にパネルに対する取付け用部を一体に有している。
これによれば、特別な固定要素やそれを操作する工具を別途要さないので作業が簡単になる。
【００１０】
第１のコネクタがパネルの前面に当接するつば部とパネル背面に係止される固定用部とを有し、第２のコネクタが、パネル側の第１のコネクタに対する抜け止め部を有している。
これによれば、第１のコネクタのパネルに対する固定が容易であるとともに、ワンタッチ操作でコネクタ同士の接続を行え、コネクタの固定力を利用してスピーカフレームしたがってスピーカを確実に固定することができる。
【実施例１】
【００１１】
以下添付図面を参照して本発明の実施例を説明する。
図２ないし図６は本発明にかかるスピーカ取付け構造の第１実施例を示しており、図２は取付け完了状態を、図３は分解状態を、図４はコネクタ部分の取り合いを、図５はコネクタ部分の断面を、図６は接続状態の詳細をそれぞれ示している。
【００１２】
１は自動車のピラー、ドアなどの板金製のパネルであり、所定部位にスピーカ露出用の開口１００が形成され、該開口からほぼ等距離の位置にコネクタ用開口１０１と固定用開口１０２がそれぞれ設けられている。
【００１３】
２はスピーカユニットであり、スピーカ本体３とスピーカフレーム４を備えている。スピーカ本体３はこの例ではツイータであり、ヴォイスコイル３０、コーン紙３１、ダンパー３２及びマグネット（図示せず）などを有している。
フレーム４は前記スピーカ本体３のコーン紙３１の外周を囲繞する円錐状のハウジング部４０と、これの先端から水平方向に延在するプレート部４１を有している。プレート部４１は円形状、矩形状など任意の平面形状となっているが、いずれの場合も前記コネクタ用開口１０１および固定用開口１０２の位置まで達する面積を有している。
【００１４】
５は第１のコネクタであり、信号回路側コネクタないしは電源側コネクタとして用いられ、ハーネス５０によって信号回路に接続される。このコネクタ５は公知のコネクタと同様に内部に多極の接点を組み込んだコンセント部（またはプラグ部）５ａを有していることに加え、図４のように、コンセント部５ａのハウジング前端開口周縁につば部５ｂを一体に有している。このつば部５ｂは前記コネクタ用開口１０１の周りのパネルに当接するストッパーとして機能する。
【００１５】
また、コンセント部５ａのハウジング後部には、コネクタ用開口１０１の背面部位に係合する固定用部５ｃを有している。この固定用部５ｃは爪状ないしは脚状をなし、コネクタ用開口１０１への押し込み時にはすぼまり、開口を過ぎた瞬間に拡開するようなばね性を備えている。
【００１６】
６は第２のコネクタ（スピーカ側コネクタ）であり、前記スピーカフレーム４のプレート部４１の所定位置、すなわち前記第１のコネクタ５と対応する位置に一体形成されている。
第２のコネクタ６は、公知のコネクタと同様に内部に多極の接点を組み込んだプラグ部（またはコンセント部）６ａを有し、前記第１のコネクタ５のコンセント部５ａに嵌合するようになっているが、プラグ部６ａのハウジング（シェル）には、コネクタ用開口１０１の内壁面に強接可能な抜け止め部６ｃを有している。
【００１７】
この抜け止め部６ｃはたとえば側面「く」の字をなした起伏可能な爪ないし脚片からなり、第１のコネクタ５のコンセント部５ａに嵌合したときに一旦すぼまり、次いでコンセント部５ａのスリット５００から突出するようになっている。そして、プラグ部６ａの付け根の周囲に相当するプレート部分には、前記コンセント部５ａのつば部５ｂを受け入れる凹部６００が設けられている。
【００１８】
前記第２のコネクタ６の接点には、スピーカ本体３のヴォイスコイルに接続されたハーネス７が接続されている。このハーネス７は前記スピーカフレーム４のプレート部４１の内部に通されるか、または表面に形成した溝に沿って導かれる。
【００１９】
８は前記スピーカフレーム４のプレート部４１に設けられた取付け用部であり、前記パネル１に設けた固定用開口１０２に対応する位置にある。この例では、取付け用部８は拡縮自在なクリップからなり、軸部８０をもってプレート部４１と一体化されている。
【００２０】
この実施例においては、スピーカの取付けに際して、まず、パネル１の固定用開口１０２に第１のコネクタ５を固定する。これは、コンセント部端のつば部５ｂをつまんで、室内側からコンセント部５ａを固定用開口１０２に差し込むことで行なわれる。
こうすれば、固定用部５ｃが固定用開口内壁との接触ですぼまり、固定用部５ｃが固定用開口背面に出て、同時につば部５ｂがパネル表面に接触すると、固定用部５ｃが開いて図４のように固定用開口背面に係合する。これにより第１のコネクタ５はワンタッチでパネル１に固定される。
【００２１】
ついで、スピーカユニット２を車室側に位置させ、スピーカフレーム４に組み込まれているスピーカ本体３をパネル１の開口１００を通して押入れるとともに、プレート部４１をパネル１に押し付け、取付け用部８を固定用開口１０２に押し込むもので、この例では脚部が開いて固定用開口１０２に係合される。これにより、スピーカユニット２は一部がパネルに固定される。
これと同時かまたは取付け用部８による固定を行ったのち、プレート部４１の残る部分をパネル１に押し付ける。そうすれば、パネル１のコネクタ用開口１０１に正対していた第２のコネクタ６が、第１のコネクタつば部５ｂを貫いて押し込まれ、プラグ部６ａが第２のコネクタ５のコンセント部５ａと嵌合して電気的に接続される。
【００２２】
それとともに、抜け止め部６ｃの爪ないし脚部が一旦すぼんでコンセント部５ａの外側に突出し、図５のようにコネクタ用開口１０１の内壁に強接するとともに、それより先が第１のコネクタ５の固定用部５ｃと接触してこれを押し広げる。これにより、プレート部４１はパネル１に密接され、第２のコネクタ６と第１のコネクタ５が離間しないように機械的にしっかりと連結される。
したがって、ワンタッチ動作で、スピーカのパネルへの固定とコネクタ同士の接続が行われることになり、コネクタの接続忘れが完全に解消される。
【実施例２】
【００２３】
図７は本発明の第２実施例を示している。
この実施例においては、取付け用部８が、プレート部４１に傾斜部分８１と水平部分８２が連続するように加工した屈曲状のフックから構成されており、このフックを固定用開口１０２に差込み、プレート部４１を倒すことで固定用開口１０２での固定と、コネクタ用開口１０１での接続固定がワンタッチで行われる。
他の構成は第１実施例と同様であるから、同じ箇所に同じ符号を付し、説明は援用する。
【００２４】
第１と第２の実施例においては、車両側の第１のコネクタとスピーカ側の第２のコネクタを接続することで、それぞれのコネクタの固定力を利用してスピーカが固定されるので、作業が非常に簡単なものとなる。
また、スピーカハウジング部４０を含むスピーカフレーム４とコネクタ６を一体品としているので、スピーカ取付けのための部品数が少なくなる。また、取付け用部８も一体化しているのでビスなどを固定する工具が無くてもスピーカ固定を行なえる。
【００２５】
本発明は図示する態様に限定されず、種々の変化が含まれる。
１）本発明は、スピーカ取付け位置の近傍に穴を設けたパネルの前記穴に信号回路側ハーネスと接続された第１のコネクタを固定しておき、１方、スピーカの開口の側方に延在したスピーカフレームにはスピーカからのハーネスと接続される第２のコネクタを前面側に設けたアッセンブリを用意し、スピーカフレームを前記パネルに重ねることによりコネクタ同士の接続とスピーカの固定を行う方法を含んでいる。
【００２６】
２）スピーカハウジング部４０とプレート部４１は図示する態様では一体成形となっているが、別体に構成されていて、ビスによる連結固定、弧状溝を含むＬ状スリットと爪とによる嵌合固定などにより一体化されてもよい。
３）スピーカ側の第２のコネクタ６は実施例ではプレート部４１に一体成形されているが、別体に作られていて、接着、ビス留めなど任意の機械的要素で一体化されてもよい。車両側の第１のコネクタ５のパネルに対する固定方法は限定がなく、ビス留めなどであってもよい。
４）実施例では第１のコネクタ５が雌形態をなし、第２のコネクタ６が雄形態の関係となっているが、この逆の関係すなわち第１のコネクタがパネルから突出し、その突出部分が第２のコネクタに挿入される関係となっていてもよい。この場合には、第２のコネクタはフレームから突出しない構造となるが、これも本発明に含まれる。
５）取付け用部８もプレート部４１に一体成形されているが、別体に作られていて、接着、ビス留めなど任意の機械的要素で一体化されてもよい。
【図面の簡単な説明】
【００２７】
【図１】従来のスピーカ取付け構造を示す断面図である。
【図２】本発明によるスピーカ取付け構造の第１実施例を示す断面図である。
【図３】第１実施例の分解状態を示す斜視図である。
【図４】本発明におけるスピーカ側コネクタ部分と車両側コネクタ部分の拡大側面図である。
【図５】（ａ）は第１のコネクタの断面図、（ｂ）は第２のコネクタの断面図である。
【図６】本発明におけるスピーカ側コネクタ部分と車両側コネクタ部分の接続状態を示す拡大断面図である。
【図７】本発明の第２実施例を示す断面図である。
【符号の説明】
【００２８】
１  パネル
２  スピーカユニット
３  スピーカ本体
４  スピーカフレーム
５  第１のコネクタ
５ｃ  固定用部
６  第２のコネクタ
６ｃ  抜け止め部
８  取付け用部
４０  ハウジング部
４１  プレート部
【図１】
2006237975.tif 000003
【図２】
2006237975.tif 000004
【図３】
2006237975.tif 000005
【図４】
2006237975.tif 000006
【図５】
2006237975.tif 000007
【図６】
2006237975.tif 000008
【図７】
2006237975.tif 000009